(57)【要約】      （修正有）【課題】場所をさほど必要とせず、感じよく、安定してりん棒を設置もしくは保持することができるりん棒を提供すること。【解決手段】りん本体１の上面端部２を利用し、りん棒４を保持もしくは設置する手段を設けた。具体的には、概略椀状のりん本体の上面端部２を支えとして保持するための保持部３を有することを特徴とした前記りん本体に付帯可能なりん棒とした。【選択図】図３
2011177508.tif 000002
【特許請求の範囲】
【請求項１】
概略椀状のりん本体の上面端部を支えとして保持するための保持部を有することを特徴としたりん棒
【請求項２】
りん本体の概略円形状の上面端部よりも大なる保持部を有することを特徴とした請求項１に記載のりん棒
【請求項３】
りん棒の打撃部が保持部を兼用する請求項１または２に記載のりん棒
【請求項４】
打撃部が球状であることを特徴とした請求項１、２または３に記載のりん棒
【請求項５】
りん本体に請求項１，２，３または４に記載のりん棒が保持されたことを特徴としたりん
【発明の詳細な説明】
【技術分野】
【０００１】  本発明は通常棒状のりん棒などで打鈴して音を出す、凹部を上にした概略椀状のりんに用いるりん棒に関するものである。
【背景技術】
【０００２】  従来の本発明に関するりん棒は仏壇、祭壇、お墓、あるいは卓上などに設置されたりんを叩くための棒状のりん棒と呼ばれるものである。これにより、叩いて音をだすものあり、これといった工夫がされてこなかった。【０００３】  場所を取らないようにスタンド型とした特許３０１２８７２号や特開２００６−１６７４４２号の形式は場所を取らずにスムーズに設置できる。また、棒状ではないが、打撃部を天然石など概略球状の打撃部を吊り下げてなるりん具なるものが考案されている。
【先行技術文献】
【特許文献】
【０００４】
【特許文献１】特許３０１２８７２号
【特許文献２】特願２００６−１６７４４２号
【特許文献３】実用新案第３１４０７５４号
【発明の概要】
【発明が解決しようとする課題】
【０００５】  しかしながら、りんの固定方法やりん台など、さまざまな発明が提案されているが、概略椀状のりん本体のほうは、これといった、工夫がされていない。りん棒で叩くことで、音をだす構成上、りん棒を必要とするため、りん棒の置き場に困っていた。りん棒は概略棒状で、通常、断面が概略丸い形状のため、卓上では、転がりやすく、不安定である。りん棒を保持するりん棒台なるものは、むかしからあるが、場所をとるために、十分なスペースが必要であり、また、コスト高の原因にもなる。簡便に、りん棒（４）をりん本体（１）内部に先端を下にして、図５のように、入れておけばよいが、なんとも不恰好で、礼節を重んじる祭壇などに置かれることがおおい、りんに対して、不適切な方法として、通常は避けられている。【０００６】以上のことから、場所をさほど必要とせず、感じよく、安定して、りん棒が設置もしくは保持することができるりん棒が本発明の課題である。
【課題を解決するための手段】
【０００７】りん本体（１）の上面端部（２）を利用し、りん棒（４）を保持もしくは設置する手段を考えた。具体的には、概略椀状のりん本体（１）の上面端部（２）を支えとして保持するための保持部（３）を有することを特徴とした前記りん本体（１）に付帯可能なりん棒（４）とした。【０００８】また前記発明のりん本体（１）の概略円形状の上面端部（２）よりも大なる保持部（３）を有することを特徴としたりん棒（４）によると上面端部（２）全体に簡便に置くだけでよいので楽で安定している。【０００９】  前記発明のりん棒において、概略椀状のりん本体（１）の打撃部（４−１）が保持部（３）を兼用するりん棒（４）とすると構造が簡略であり、簡便にりん棒（４）を置くことができる。また、この発明の場合に打撃部（４−１）が概略球状をしていると柄（４−２）の部分が垂直でなくとも、りん本体（１）の概略円形状の上面端部（２）と相まって安定して設置できるための便利であるし、デザイン的にも柄（４−２）の位置を工夫することでバリエーションを持たせることができる。
【発明の効果】
【００１０】  本発明のりん棒によると、特別にりん棒を保持する道具を用いずともりん棒が安定に設置できて、なおかつ上品に体裁よく置いておくことができて便利である。特に概略垂直方向にりん棒を立てるような感じで置くことができることにより、スムーズな動作で打撃をりん本体（１）に施すことができる。また上面端部（２）にりん棒（４）が触れることでりん本体（１）の振動を抑え、音が急速に減衰する。これを利用して、適宜必要な時間を見計らってりん本体（１）の余韻を制御できる効果がある。【００１１】また、本発明のりん棒において、りん本体（１）の概略円形状の上面端部（２）内側よりも大なる保持部（３）を有することを特徴とした本発明のりん棒（４）によると、さほど設置具合を気にすることなく置くことができて楽である。【００１２】  さらに、本発明のりん棒において、概略椀状のりん本体（１）の打撃部（４−１）が保持部（３）を兼用するりん棒（４）とすると構造が簡略でありながら、簡便にりん棒を置くことができる。また、この発明の場合に打撃部（４−１）が概略球状をしていると柄（４−２）の部分を自由な方向に設置できる。りん本体（１）の概略円形状の上端部（２）と球状の保持部（３）を兼ねた打撃部（４−１）が相まって安定して設置できるための便利であるし、デザイン的にも柄（４−２）の位置を工夫することでバリエーションを持たせることができる。このように、りん本体（１）に本発明のりん棒が保持されたりんは利便性が高い
【図面の簡単な説明】
【００１３】
【図１】本発明の実施形態を示す説明見取り図である。
【図２】本発明の実施形態を示す説明図である。
【図３】本発明の実施形態を示す説明図である。
【図４】本発明の実施形態を示す説明図である。
【図５】説明見取り図である。
【図６】りんＡの写真である。
【図７】りんＢの写真である。
【図８】りんＣの写真である。
【図９】りんＤの写真である。
【図１０】本発明の理解を助けるためのイメージ写真である。
【発明を実施するための形態】
【実施例１】
【００１４】図１は本発明実施例の説明見取り図である。概略椀状のりん本体（１）の打撃部（４−１）が保持部（３）を兼用するりん棒（４）である。概略椀状のりん本体（１）の上面端部（２）を支えとして保持するための保持部（３）を有することを特徴とした前記りん本体（１）に付帯可能なりん棒（４）の一例である。
そしてこのりん棒（４）の打撃部（４−１）は球状をしている。そのため、概略椀状のりん本体（１）の上面端部（２）を支えとして保持され、りん棒（４）の柄（４−２）は、長手軸線上の軸方向が垂直方向以外にも上下左右に傾けて安定して設置可能である。りん棒（４）の材質は特に限定はないが、木や樹脂が適切である。スケール的に制限はないとはいえ、持ちやすさを考慮すると、この実施例の場合は２０ｍｍから４０ｍｍ程度の直径値をもった概略球状の打撃部（４−２）であることが好ましい。図２のような状態から図１のように設置する。
【実施例２】
【００１５】  図３のようにりん棒（４）の柄（４−２）が刀のつばのような円形板状であってもよい。りん本体（１）の概略円形状の上面端部（２）内側よりも大なる保持部（３）を有するものであるので簡便に設置できる。もちろんこの保持部（３）を打撃部（４−１）として、りん本体（１）を鳴らしてもよい。図３の左側の図（ａ）は、りん本体（１）にりん棒（４）が付帯した状態の正面中央縦断面を表すものである。図３の右側図（ｂ）が付帯される前のイメージを表したものである。
【実施例３】
【００１６】  図４のように保持部（３）がフック形状である本発明のりん棒（４）であってもよい。【００１７】以上のように  本発明は通常棒状のりん棒などで打鈴して音を出す凹部を上にした概略椀状のりんに用いるりん棒に関するものである。ここで、凹部を上にした概略椀状のりんに関して説明を加える。前記りんのりん本体（１）は概略椀状であればよい。実例として、りんＡ、りんＢ、りんＣ、りんＤなどの写真の図面を提示する。図面６〜９図は、りんＡ〜Ｄまで、形状が特定できるように図示したものである。りんＡは花をモチーフとした形状である。りんＢは同じく花をモチーフとした形状であるが梅のような閉じた花のイメージを特徴としている。りんＣは同様に花をモチーフとして、アザミやたんぽぽのイメージを特徴としている。りんＤのように水平方向に線などが文様として入っていてもよい。このように概略椀状であればよく、模様などや細部で、特に限定はない。図１０は本発明の理解を助けるために、りん本体と本発明りん棒のイメージを写真で数点示したものである。りん棒の材質やりん本体の色合いなど多様であってもよく、特に限定はない。
【符号の説明】
【００１８】１      りん本体
２      上面端部
３      保持部
４      りん棒
４−１  打撃部
４−２  柄
【図１】
2011177508.tif 000003
【図２】
2011177508.tif 000004
【図３】
2011177508.tif 000005
【図４】
2011177508.tif 000006
【図５】
2011177508.tif 000007
【図６】
2011177508.tif 000008
【図７】
2011177508.tif 000009
【図８】
2011177508.tif 000010
【図９】
2011177508.tif 000011
【図１０】
2011177508.tif 000012